【事件の表示】
　特願２０１１−２７８１３９「高温電子監視システム用ハブユニット」拒絶査定不服審判事件〔平成２４年　７月１２日出願公開、特開２０１２−１３２９１６、請求項の数（９）〕について、次のとおり審決する。
【結　論】
　原査定を取り消す。
　本願の発明は、特許すべきものとする。
【理　由】
第１　出願の経緯
　本願は、平成２３年１２月２０日（パリ条約による優先権主張２０１０年１２月２３日、米国）を国際出願日とする出願であって、平成２４年２月８日付けで翻訳文が提出され、平成２７年７月１７日付けで拒絶理由が通知され、平成２８年１月２５日付けで手続補正がなされ、平成２８年６月３０日付けで拒絶理由が通知され、平成２８年１２月２９日付けで手続補正がなさたれたが、平成２９年２月２日付けで拒絶査定がなされ、これに対し、平成２９年６月５日に拒絶査定不服審判が請求され、同時に手続補正がなされ、平成２９年７月２５日付けで手続補正（方式）（審判請求書の請求の理由の変更）がなされたものである。
第２　原査定の概要
　原査定（平成２９年２月２日付け拒絶査定）の概要は次のとおりである。
  （進歩性）この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
・請求項１−１０
・引用文献１−２
引用文献１．特開２００６−１６５７３７号公報
引用文献２．特開平０６−０９４５７６号公報
第３　本願発明
　本願の請求項１−９に係る発明は、平成２９年６月５日付けの手続補正で補正された特許請求の範囲の請求項１−９に記載された事項により特定される発明（以下、それぞれ「本願発明１」−「本願発明９」という。）であり、本願発明１は以下のとおりの発明である。
「【請求項１】
運転中のガスタービンエンジン（１０８）のエンジン性能パラメータを検知してアナログセンサ出力を生成するため該エンジン（１０８）上に装着されるセンサ（２０）を含むエンジン性能パラメータを監視するための監視システム（１０）において使用するよう適応されたハブユニット（１４）であって、
ハウジング（４４）と、
前記ハウジング（４４）内の制御回路ボード（２２）及び少なくとも１つの信号調整回路ボード（２４）と、
を備え、前記信号調整回路ボード（２４）が前記センサ（２０）からアナログセンサ出力を受けるように適応され、前記制御回路ボード（２２）が、前記信号調整回路ボード（２４）に接続され且つ前記アナログセンサ出力に対応するデジタルデータを生成するよう適応されており、
前記制御回路ボード（２２）及び前記信号調整回路ボード（２４）が、アナログ信号処理経路として機能する電気回路構成要素を備え、前記電気回路構成要素は、経年変化並びに前記ハブユニット（１４）が受ける温度変化に応答して精度がドリフトする特性を有し、
前記ハブユニット（１４）が更に、
標準電圧及びゼロ電圧を前記信号調整回路ボード（２４）に周期的に印加して、前記制御回路ボード（２２）及び前記信号調整回路ボード（２４）の電気回路構成要素のドリフトにより生じる前記アナログ信号処理経路における誤差を決定及び除去することによる連続較正方式を実施する手段（２２）と、
前記信号調整回路ボード（２４）上で、前記センサ（２０）によって発生する複数の前記アナログセンサ出力を多重化して、個々の多重アナログ出力を生成する手段（６０、６２、６４）と、
前記個々の多重アナログ出力のアナログセンサ出力をスケール調整し、対応するデジタルデータが生成される個々の調整済み多重アナログ出力を生成するため、調整可能ゲイン（６４）を備えた少なくとも１つの増幅器（６２）とを備え、
前記増幅器（６２）及び調整可能ゲイン（６４）が、前記制御回路ボード（２２）により制御され、前記増幅器（６２）が差動増幅器であり、全ての電圧をＡ／Ｄ変換に必要な正のみの電圧範囲にスケール調整する、ハブユニット（１４）。」
　なお、本願発明２−９は、本願発明１を減縮した発明である。
第４　引用文献、引用発明等
１．引用文献１について
　原査定の拒絶の理由に引用された上記引用文献１（特開２００６−１６５７３７号公報）には、図面とともに、次の事項が記載されている（下線は、当審で付与した。）。
「【技術分野】
【０００１】
  本発明は、
制御対象から入力されるアナログ信号を所定の周期でサンプリングするプログラマブルロジックコントローラー用のアナログ信号処理装置
アナログ信号処理装置における温度補正機能
「【０００６】
  また、
Ａ／Ｄ変換器は、周囲温度によって出力が変動する温度特性を有する
オフセット補正値及びゲイン補正値に対応する基準電圧
「【００２０】
  以下、図面を参照しながら本発明の実施例について説明する。
【００２１】
  図１は、本発明の実施例に係る
アナログ信号処理装置であるアナログ入力ユニット
ＣＰＵユニット１とアナログ入力ユニット２とが接続され、
各種センサー装置
の出力信号であるアナログ信号（電圧、電流等）がアナログ入力ユニット２に入力される。
【００２２】
  
アナログ入力ユニット２は、アナログ回路２１、処理部２２、
スレーブＡＳＩＣ２４を内蔵している。制御対象からアナログ入力ユニット２に入力されたアナログ信号は、所定のサンプリング周期ごとにアナログ回路２１でＡ／Ｄ変換され、その出力（ディジタルデータ）が処理部２２に与えられる。処理部２２は、そのディジタルデータに演算を行い、サンプリング周期ごとのディジタル値を出力する。この演算には、Ａ／Ｄ変換器のオフセット補正及びゲイン補正が含まれる。
「【００２５】
  なお、
ＣＰＵユニット１がアナログ入力ユニット２とバス通信を行って
ディジタル値を読み出す
「【００２６】
  図２は、
アナログ入力ユニット中のアナログ回路及び処理部の内部
複数のアナログ回路２１が処理部２２に接続され、複数の制御対象から複数のアナログ信号を同時に（並行して）入力できるように構成される。
アナログ回路２１の出力（ディジタル信号）が処理部２２へ渡される。
【００２７】
  
アナログ回路２１は、基準電圧発生回路（ＶＲＥＦ）２１１、マルチプレクサ（ＭＰＸ）２１２、増幅器（ＡＭＰ）２１３及びＡ／Ｄ変換器（ＡＤＣ）２１４を内蔵している。基準電圧発生回路２１１は、Ａ／Ｄ変換器２１４のばらつき補正及び温度補正のための基準電圧（基準アナログ信号）を発生する基準アナログ信号発生部に相当する。マルチプレクサ２１２は、制御対象からのアナログ信号入力と基準電圧発生回路２１１からの基準電圧とを択一的に切り替える働きを有する。マルチプレクサ２１２から出力されたアナログ電圧信号は増幅器２１３で増幅された後、Ａ／Ｄ変換器２１４でディジタル信号（データ）に変換され、アナログ回路２１からの出力となる。この出力は、
処理部２２に渡される。
【００２８】
  
処理部２２は、ディジタル値演算部２２１、サンプリング周期設定部２２２
を有する。
ディジタル値演算部２２１は、アナログ回路２１のＡ／Ｄ変換器２１４から与えられたディジタルデータにオフセット補正及びゲイン補正を施してサンプリング周期ごとのディジタル値を出力する。
「【００３１】
  そこで、例えば工場出荷時の検査工程等において、アナログ入力として０Ｖ（下限値）及び１０Ｖ（上限値）を与えたときのディジタル出力ｄ及びＤ２から切片ｄ及び傾きβ（＝（Ｄ２−ｄ）／１０）を求めることができる。これらの値がオフセット補正値及びゲイン補正値として記憶される。ディジタル値演算部２２１は、これらの補正値に基づいて、測定時に得られるＡ／Ｄ変換器２１４の出力のばらつき補正（オフセット補正及びゲイン補正）を実行する。
【００３２】
  上記の例における
０Ｖ（下限値）及び１０Ｖ（上限値）は、
各アナログ回路２１の基準電圧発生回路２１１によって発生される。
マルチプレクサ２１２の入力は基準電圧発生回路２１１側に切り替えられてオフセット補正値及びゲイン補正値の取得が実行される。
「【００３３】
  上記のように工場出荷時の検査工程等において行われるオフセット補正値及びゲイン補正値の取得と記憶は、管理された所定温度（例えば室温２５℃）において行われる。そして、
Ａ／Ｄ変換器２１４の出力が周囲温度によって変動する温度特性を有するので、その補償（温度補正）を行う必要がある。
オフセット補正値及びゲイン補正値を補正することによって温度補正を行う
「【００４１】
  上記のように、本実施例によれば、温度補正指令部２２４は、サンプリング周期Ｔｓの設定値がサンプリング単位時間Ｔａの３倍以上であれば温度補正周期Ｔｔごとに温度補正用データ（第２基準ディジタル値の取得）を指令する。温度補正実行部２２３は、温度補正指令部２２４からの指令に従って、
通常のデータ取得が終了した後のサンプリング周期Ｔｓにおける残り時間を有効に用いて、オフセット温度補正用データ及びゲイン温度補正用データを続けて取得することができる。
測定データの欠落を回避しながら温度補正を迅速に行うことができる。
　したがって、引用文献１には、次の発明（以下、「引用発明」という。）が記載されているものと認められる。
「制御対象から入力されるアナログ信号を所定の周期でサンプリングするプログラマブルロジックコントローラー用のアナログ信号処理装置（段落【０００１】より。以下同様。）であって、
　アナログ信号処理装置であるアナログ入力ユニットは、ＣＰＵユニット１と接続され、各種センサー装置の出力信号であるアナログ信号（電圧、電流等）がアナログ入力ユニットに入力され（【００２１】）、
  アナログ入力ユニット２は、アナログ回路２１、処理部２２を内蔵し、制御対象からアナログ入力ユニット２に入力されたアナログ信号は、所定のサンプリング周期ごとにアナログ回路２１でＡ／Ｄ変換され、その出力（ディジタルデータ）が処理部２２に与えられ、処理部２２は、そのディジタルデータに演算を行い、サンプリング周期ごとのディジタル値を出力し、この演算には、Ａ／Ｄ変換器のオフセット補正及びゲイン補正が含まれ（【００２２】）、
　ＣＰＵユニット１はアナログ入力ユニット２とバス通信を行ってディジタル値を読み出し（【００２５】）、
　アナログ入力ユニット中のアナログ回路及び処理部の内部では、複数のアナログ回路２１が処理部２２に接続され、複数の制御対象から複数のアナログ信号を同時に（並行して）入力できるように構成され、アナログ回路２１の出力（ディジタル信号）が処理部２２へ渡され（【００２６】）、
　アナログ回路２１は、基準電圧発生回路（ＶＲＥＦ）２１１、マルチプレクサ（ＭＰＸ）２１２、増幅器（ＡＭＰ）２１３及びＡ／Ｄ変換器（ＡＤＣ）２１４を内蔵し、基準電圧発生回路２１１は、Ａ／Ｄ変換器２１４のばらつき補正及び温度補正のための基準電圧（基準アナログ信号）を発生する基準アナログ信号発生部に相当し、マルチプレクサ２１２は、制御対象からのアナログ信号入力と基準電圧発生回路２１１からの基準電圧とを択一的に切り替える働きを有し、マルチプレクサ２１２から出力されたアナログ電圧信号は増幅器２１３で増幅された後、Ａ／Ｄ変換器２１４でディジタル信号（データ）に変換され、アナログ回路２１からの出力となり、この出力は、処理部２２に渡され（【００２７】）、
　０Ｖ（下限値）及び１０Ｖ（上限値）が、各アナログ回路２１の基準電圧発生回路２１１によって発生され、マルチプレクサ２１２の入力は基準電圧発生回路２１１側に切り替えられてオフセット補正値及びゲイン補正値の取得が実行され（【００３２】）、
　処理部２２は、ディジタル値演算部２２１、サンプリング周期設定部２２２を有し、ディジタル値演算部２２１は、アナログ回路２１のＡ／Ｄ変換器２１４から与えられたディジタルデータにオフセット補正及びゲイン補正を施してサンプリング周期ごとのディジタル値を出力し（【００２８】）、
　Ａ／Ｄ変換器２１４の出力が周囲温度によって変動する温度特性を有するので、その補償（温度補正）を行う必要があり、オフセット補正値及びゲイン補正値を補正することによって温度補正を行ない（【００３３】）、
　通常のデータ取得が終了した後のサンプリング周期Ｔｓにおける残り時間を有効に用いて、オフセット温度補正用データ及びゲイン温度補正用データを続けて取得することができ、測定データの欠落を回避しながら温度補正を迅速に行うことができる（【００４１】）、
　温度補正機能を備えるアナログ信号処理装置（【０００１】）。」
２．引用文献２について
　原査定の拒絶の理由に引用された上記引用文献２（特開平０６−０９４５７６号公報）には、図面とともに、次の事項が記載されている（下線は、当審で付与した。）。
「【０００８】
【実施例】以下、本発明の一実施例を添付図面に基づいて詳述する。
【０００９】図１において、１は
ジェットエンジンの
試験設備１はジェットエンジン２を取付けるためのアダプタ３を備え
ジェットエンジン２は
試験室６に搬送され
【００１０】
試験室６には
試験ステーション７が設けられ、この試験ステーション７にはアダプタ３を介して得られるエンジン運転時の情報を検出するセンサ８およびシグナルコンディショナ９が配置されている。センサ８は、ジェットエンジン２から導かれた圧力等の物理量を電気信号に変換する機器で、シグナルコンディショナ９はジェットエンジン２から温度センサ等を介して得られる電気信号を後述の制御部１０で処理し易い別の電気信号に変換する機器である。
　したがって、引用文献２には、次の技術的事項が記載されていると認められる。
「ジェットエンジンの試験設備１はジェットエンジン２を取付けるためのアダプタ３を備え、ジェットエンジン２は試験室６に搬送され、試験室６には試験ステーション７が設けられ、この試験ステーション７にはアダプタ３を介して得られるエンジン運転時の情報を検出するセンサ８およびシグナルコンディショナ９が配置され、センサ８は、ジェットエンジン２から導かれた圧力等の物理量を電気信号に変換する機器で、シグナルコンディショナ９はジェットエンジン２から温度センサ等を介して得られる電気信号を後述の制御部１０で処理し易い別の電気信号に変換する機器である、試験設備１。」
第５　対比・判断
１．本願発明１について
（１）対比
ア　引用発明における「各種センサー装置」は、「アナログ信号（電圧、電流等）」を「出力信号」としているから、本願発明１における「アナログセンサ出力を生成するため」の「センサ（２０）」に相当する。
イ　引用発明の「アナログ入力ユニット」が、「複数の制御対象から複数のアナログ信号を同時に（並行して）入力できるように構成され」ていることが、本願発明１における「前記センサ（２０）からアナログセンサ出力を受けるように適応され」ていることに相当する。
ウ　引用発明の「増幅器（ＡＭＰ）２１３」が、本願発明１における「制御回路ボード」が備える「１つの増幅器（６２）」に相当する。
　また、引用発明では「各種センサー装置の出力信号である」「アナログ電圧信号は増幅器２１３で増幅された後、Ａ／Ｄ変換器２１４でディジタル信号（データ）に変換され」ているのであるから、引用発明における「増幅器（ＡＭＰ）２１３」が、本願発明１における（制御回路ボード（２２）及び信号調整回路ボード（２４）の両方に跨がる）「アナログ信号処理経路として機能する電気回路構成要素」の
一つ
　また、「増幅器（ＡＭＰ）２１３」が周囲温度によって出力がドリフトす温度特性を有すること技術常識であるから、このことと、本願発明１における「前記電気回路構成要素が」「温度変化に応答して精度がドリフトする特性を有」することは、「前記電気回路構成要素が」「温度変化に応答して出力がドリフトする特性を有」する点で共通するといえる。
エ　引用発明における「Ａ／Ｄ変換器（ＡＤＣ）２１４」は、「制御対象からのアナログ信号入力」つまり、「各種センサー装置の出力信号であるアナログ信号」を「ディジタル信号（データ）に変換」しているから、本願発明１における（制御回路ボード（２２）及び信号調整回路ボード（２４）の両方に跨がって）「前記アナログセンサ出力に対応するデジタルデータを生成する」「アナログ信号処理経路として機能する電気回路構成要素」の
一つ
オ　引用発明における「Ａ／Ｄ変換器２１４の出力が周囲温度によって変動する温度特性を有する」ことと、本願発明１における「前記電気回路構成要素」が「温度変化に応答して精度がドリフトする特性を有」することとは、「前記電気回路構成要素」が「温度変化に応答して出力がドリフトする特性を有」する点で共通する。
カ　引用発明における「アナログ入力ユニット」は、「複数の制御対象から複数のアナログ信号を同時に（並行して）入力できるように構成され」、「「ＣＰＵユニット１はアナログ入力ユニット２とバス通信を行ってディジタル値を読み出し」ているから、引用発明における「アナログ入力ユニット」が、複数の制御対象からの複数のアナログ信号を集約する「ハブ」の機能を有していることは明らかである。
　よって、引用発明における「アナログ入力ユニット」が、本願発明１における「ハブユニット（１４）」に相当するといえる。
キ　引用発明における「複数のアナログ回路２１」は、各「アナログ回路２１」が「マルチプレクサ（ＭＰＸ）２１２、増幅器（ＡＭＰ）２１３」を内蔵している。そして、「増幅器（ＡＭＰ）２１３」による増幅は、通常、その後段の「Ａ／Ｄ変換器２１４」の入力レベルを調整するために行われるものである。よって、引用発明における「複数のアナログ回路２１」の各々において、各「アナログ回路２１」に内蔵された「マルチプレクサ（ＭＰＸ）２１２、増幅器（ＡＭＰ）２１３」からなる回路部分と、本願発明１における「信号調整回路ボード」とは、「信号調整回路」の点で共通するといえる。
ク　上記「イ」を踏まえると、引用発明における各「アナログ回路２１」に内蔵された「マルチプレクサ（ＭＰＸ）２１２、増幅器（ＡＭＰ）２１３」からなる回路部分が、「各種センサー装置の出力信号であるアナログ信号」を入力できるように構成されていることは、引用文献１の図２に記載されているとおり、明らかであるから、上記「キ」を踏まえると、引用発明における各「アナログ回路２１」に内蔵された「マルチプレクサ（ＭＰＸ）２１２、増幅器（ＡＭＰ）２１３」がアナログ信号を入力できるように構成されていることと、本願発明１における「前記信号調整回路ボード（２４）が前記センサ（２０）からアナログセンサ出力を受けるように適応され」ていることは、「前記信号調整回路が前記センサ（２０）からアナログセンサ出力を受けるように適応され」ている点で共通するといえる。
ケ　引用発明における「処理部２２」は、「ディジタル値演算部２２１、サンプリング周期設定部２２２を有し」、「Ａ／Ｄ変換され」た「ディジタルデータに演算を行い、サンプリング周期ごとのディジタル値を出力し」ている。よって、引用発明における「処理部２２」が「サンプリング周期」等の各種の制御を行っていることは明らかである。
　これに対し、本願発明１における「制御回路ボード」について、本願明細書の段落【００１９】には「・・・プロセッサ制御ボード２２は、・・・マイクロプロセッサ４６を備えるように表され、・・・・マイクロプロセッサ４６は・・・センサ２０の個々の信号チャンネル又は信号チャンネルのブロックのどれが読み出されるか、
データ収集のタイミング
アナログ−デジタル変換
　よって、引用発明における「複数のアナログ回路２１」の各「アナログ回路２１」に「内蔵」された「Ａ／Ｄ変換器（ＡＤＣ）２１４」、及び「処理部２２」と、本願発明１における「制御回路ボード」とは「制御回路」の点で共通するといえる。
コ　引用発明における「複数のアナログ回路２１」の各「アナログ回路２１」に「内蔵」された「Ａ／Ｄ変換器（ＡＤＣ）２１４」、及び「処理部２２」は、「増幅器２１３」（上記「キ」のとおり、本願発明１における「信号調整回路」の一つの回路要素に相当する。）に接続され、且つ「各種センサー装置の出力信号であるアナログ信号」を「ディジタル信号（データ）に変換」している。
　よって、引用発明における「複数のアナログ回路２１」の各「アナログ回路２１」に「内蔵」された「Ａ／Ｄ変換器（ＡＤＣ）２１４」、及び「処理部２２」が、「増幅器２１３」（上記「キ」のとおり、本願発明１における「信号調整回路」の一つの回路要素に相当する。）に（電気的に）接続され、且つ「各種センサー装置の出力信号であるアナログ信号」を「ディジタル信号（データ）に変換」することと、本願発明１における「前記制御回路ボード（２２）が、前記信号調整回路ボード（２４）に接続され且つ前記アナログセンサ出力に対応するデジタルデータを生成するよう適応されて」いることとは「前記制御回路が、前記信号調整回路に接続され且つ前記アナログセンサ出力に対応するデジタルデータを生成するよう適応されて」いる点で共通するといえる。
サ　引用発明における「１０Ｖ（上限値）」及び「０Ｖ（下限値）」は、引用文献１の段落【０００８】に記載された「ゲイン補正値に対応する基準電圧」及び「オフセット補正値」「に対応する基準電圧」であるから、本願発明１における「標準電圧及びゼロ電圧」に相当する。
シ　引用発明では、「通常のデータ取得が終了した後のサンプリング周期Ｔｓにおける
残り時間
　よって、引用発明における「温度補正」は、データ取得のサンプリング周期における
残り時間
連続
ス　（ア）本願のＦＩＧ．４及びＦＩＧ．３には、「フルスケール」及び「ＧＮＤ」（本願発明１における、較正用の「標準電圧及びゼロ電圧」に対応する）を、計測用増幅器を介してＡ／Ｄコンバータに入力することが示されている。
（イ）これに対し、引用発明では、「マルチプレクサ２１２は、制御対象からのアナログ信号入力と基準電圧発生回路２１１からの基準電圧とを択一的に切り替える働きを有し、マルチプレクサ２１２から出力されたアナログ電圧信号は増幅器２１３で増幅された後、Ａ／Ｄ変換器２１４でディジタル信号（データ）に変換され、アナログ回路２１からの出力とな」っているから、「マルチプレクサ２１２」が「基準電圧発生回路２１１からの基準電圧」に「切り替え」た場合には、「マルチプレクサ２１２から出力された」「基準電圧発生回路２１１からの基準電圧」が「増幅器２１３で増幅された後、Ａ／Ｄ変換器２１４でディジタル信号（データ）に変換され」ることになる。
　よって、引用発明における「基準電圧」（「０Ｖ（下限値）及び１０Ｖ（上限値）」）を用いた「温度補正」は、「Ａ／Ｄ変換器２１４」だけでなく、「増幅器２１３」による出力のドリフト（上記「ウ」参照）についても行われていることになる。
（エ）よって、上記「ウ」、「オ」、「キ」、「ク」、「ケ」及び「シ」を踏まえると、引用発明の「アナログ入力ユニット」において、「０Ｖ（下限値）及び１０Ｖ（上限値）」が 「サンプリング周期Ｔｓにおける残り時間」ごとに 「マルチプレクサ２１２の入力」とされ、「Ａ／Ｄ変換器２１４のばらつき補正及び温度補正」が「測定データの欠落を回避しながら」行うことができるようにする「温度補正機能」のための手段と、本願発明１における「標準電圧及びゼロ電圧を前記信号調整回路ボード（２４）に周期的に印加して、前記制御回路ボード（２２）及び前記信号調整回路ボード（２４）の電気回路構成要素のドリフトにより生じる前記アナログ信号処理経路における誤差を決定及び除去することによる連続較正方式を実施する手段（２２）」とは、「標準電圧及びゼロ電圧を前記信号調整回路に周期的に印加して、前記制御回路及び前記信号調整回路の電気回路構成要素のドリフトにより生じる前記アナログ信号処理経路における誤差を決定及び除去することによる連続較正方式を実施する手段（２２）」の点で共通するといえる。
セ　上記「キ」を踏まえると、引用発明における「複数のアナログ回路２１」の個々の各「アナログ回路２１」に内蔵された「マルチプレクサ（ＭＰＸ）２１２、増幅器（ＡＭＰ）２１３」からなる回路部分が、「複数の制御対象から」「各種センサー装置の出力信号」として「アナログ入力ユニット」に「同時に（並行して）入力」された「複数のアナログ信号」の個々の「アナログ信号」を、個々に「増幅器２１３」で増幅することと、本願発明１における「前記信号調整回路ボード（２４）上で、前記センサ（２０）によって発生する複数の前記アナログセンサ出力を多重化して、個々の多重アナログ出力を生成する手段（６０、６２、６４）と、前記個々の多重アナログ出力のアナログセンサ出力をスケール調整し、対応するデジタルデータが生成される個々の調整済み多重アナログ出力を生成するため、調整可能ゲイン（６４）を備えた少なくとも１つの増幅器（６２）とを備え、前記増幅器（６２）及び調整可能ゲイン（６４）が、前記制御回路ボード（２２）により制御され、前記増幅器（６２）が差動増幅器であり、全ての電圧をＡ／Ｄ変換に必要な正のみの電圧範囲にスケール調整する」こととは、「信号調整回路が、少なくとも１つの増幅器（６２）とを備え」る点で共通する。
　したがって、引用発明と本願発明１との間には、次の一致点、相違点があるといえる。
（一致点）
「ハブユニット（１４）であって、
制御回路及び少なくとも１つの信号調整回路と、
を備え、前記信号調整回路が前記センサ（２０）からアナログセンサ出力を受けるように適応され、前記制御回路が、前記信号調整回路に接続され且つ前記アナログセンサ出力に対応するデジタルデータを生成するよう適応されており、
前記制御回路及び前記信号調整回路が、アナログ信号処理経路として機能する電気回路構成要素を備え、前記電気回路構成要素は、前記ハブユニット（１４）が受ける温度変化に応答して出力がドリフトする特性を有し、
前記ハブユニット（１４）が更に、
標準電圧及びゼロ電圧を前記信号調整回路に周期的に印加して、前記制御回路及び前記信号調整回路の電気回路構成要素のドリフトにより生じる前記アナログ信号処理経路における誤差を決定及び除去することによる連続較正方式を実施する手段（２２）と、
前記信号調整回路が、少なくとも１つの増幅器（６２）とを備え、
る、ハブユニット（１４）。」
（相違点１）
　本願発明１における「ハブユニット（１４）」は、「アナログセンサ出力を生成するためセンサ（２０）を含んで使用するよう適応され」、「運転中のガスタービンエンジン（１０８）のエンジン性能パラメータを検知してアナログセンサ出力を生成するため該エンジン（１０８）上に装着されるセンサ（２０）を含むエンジン性能パラメータを監視するための監視システム（１０）において使用するよう適応され」ているのに対し、引用発明では、「アナログ入力ユニット２」が、複数の制御対象から複数のアナログ信号を集約する「ハブ」の機能を有していることは明らかであるものの、「プログラマブルロジックコントローラー用」の入力ユニットである点。
（相違点２）
　本願発明１では、ハブユニット（１４）が「ハウジング（４４）」を有し、「前記ハウジング（４４）」内に「制御回路ボード（２２）及び少なくとも１つの信号調整回路ボード（２４）」があるのに対し、
　引用発明では、「アナログ入力ユニット２」がハウジングを有しているか、明らかでなく、また、引用発明における「複数のアナログ回路２１」の各「アナログ回路２１」に内蔵された「マルチプレクサ（ＭＰＸ）２１２、増幅器（ＡＭＰ）２１３」からなる回路部分（本願発明１における「信号調整回路」に相当する）が「ボード（２４）」に搭載されているか明らかでなく、また、引用発明における「複数のアナログ回路２１」の各「アナログ回路２１」に「内蔵」された「Ａ／Ｄ変換器（ＡＤＣ）２１４」及び「処理部２２」（本願発明１における「制御回路」に相当する）が「ボード（２２）」に搭載されているか明らかでない点。
（相違点３）
　本願発明１では、アナログ信号処理経路として機能する電気回路構成要素が、「経年変化」よって「精度」がドリフトする特性を有しているのに対し、引用発明では、「増幅器（ＡＭＰ）２１３」及び「Ａ／Ｄ変換器（ＡＤＣ）２１４」がアナログ信号処理経路として機能する電気回路構成要素であることは明らかであるものの、「経年変化」によって「精度」がドリフトする特性を有していることは示されていない点。
（相違点４）
　本願発明１では、「前記信号調整回路ボード（２４）上で、前記センサ（２０）によって発生する複数の前記アナログセンサ出力を多重化して、個々の多重アナログ出力を生成する手段（６０、６２、６４）と、前記個々の多重アナログ出力のアナログセンサ出力をスケール調整し、対応するデジタルデータが生成される個々の調整済み多重アナログ出力を生成するため、調整可能ゲイン（６４）を備えた少なくとも１つの増幅器（６２）とを備え、前記増幅器（６２）及び調整可能ゲイン（６４）が、前記制御回路ボード（２２）により制御され、前記増幅器（６２）が差動増幅器であり、全ての電圧をＡ／Ｄ変換に必要な正のみの電圧範囲にスケール調整する」のに対し、
　引用発明では、「各種センサー装置の出力信号であるアナログ信号（電圧、電流等）がアナログ入力ユニットに入力され」、「複数の制御対象から複数のアナログ信号を同時に（並行して）入力できるように構成され」ているものの、「複数のアナログ信号」は
多重化されず
多重
多重
多重
（相違点５）
　本願発明１では、「電気回路構成要素」が「温度変化に応答して
精度
出力
出力
精度
（２）相違点についての判断
　事案に鑑み、上記相違点４について判断する。
　「第４　引用文献、引用発明等」の「２．引用文献２について」に記載のとおり、引用文献２には、「ジェットエンジンの試験設備１はジェットエンジン２を取付けるためのアダプタ３を備え、ジェットエンジン２は試験室６に搬送され、試験室６には試験ステーション７が設けられ、この試験ステーション７にはアダプタ３を介して得られるエンジン運転時の情報を検出するセンサ８およびシグナルコンディショナ９が配置され、センサ８は、ジェットエンジン２から導かれた圧力等の物理量を電気信号に変換する機器で、シグナルコンディショナ９はジェットエンジン２から温度センサ等を介して得られる電気信号を後述の制御部１０で処理し易い別の電気信号に変換する機器である、試験設備１。」という技術的事項が記載されている。
　しかしながら、相違点４に係る本願発明１の「前記信号調整回路ボード（２４）上で、前記センサ（２０）によって発生する複数の前記アナログセンサ出力を多重化して、個々の多重アナログ出力を生成する手段（６０、６２、６４）と、前記個々の多重アナログ出力のアナログセンサ出力をスケール調整し、対応するデジタルデータが生成される個々の調整済み多重アナログ出力を生成するため、調整可能ゲイン（６４）を備えた少なくとも１つの増幅器（６２）とを備え、前記増幅器（６２）及び調整可能ゲイン（６４）が、前記制御回路ボード（２２）により制御され、前記増幅器（６２）が差動増幅器であり、全ての電圧をＡ／Ｄ変換に必要な正のみの電圧範囲にスケール調整する」構成は、引用文献２に記載されていない。
　また、本願発明１における上記構成は、周知技術であるとも、設計的事項であるともいえない。
　したがって、本願発明１は、他の相違点について検討するまでもなく、当業者であっても、引用発明及び引用文献２に記載された技術的事項に基づいて当業者が容易に発明をすることができたものであるとはいえない。
２．本願発明２−９について
　本願発明２−９は、本願発明１を減縮した発明であるから、本願発明１と同一の構成を備えるものである。よって、本願発明２−９は、本願発明１と同じ理由により、当業者であっても、引用発明及び引用文献２に記載された技術的事項に基づいて容易に発明をすることができたものとはいえない。
第６　原査定について
　審判請求時の補正により、本願発明１−９（なお、審判請求時の補正は、原査定における請求項１を削除し、請求項１０を、請求項１とする補正である。）は、上記「相違点４に係る本願発明１の構成」を有するものとなっており、当業者であっても、拒絶査定において引用された引用文献１、２に基づいて、容易に発明できたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。